Podtech/llm-jp-corpus-v4-ja_patent huggingface dataset:
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ボディと、
インサートと、を備え、
前記ボディは、
前記ゴルフクラブヘッドのフロントにおけるストライクフェイスと、
前記ストライクフェイスに対向するバックフェイスと、
ヒール領域と、
前記ヒール領域に対向するトウ領域と、
ソールと、
前記ゴルフクラブヘッドのリアにおけるリア部と、
前記バックフェイスと前記リア部との間に設けられているキャビティと、
を備え、
前記キャビティは、
前記バックフェイスからオフセットされているサイド壁と、
底部壁と、
前記ヒール領域から前記トウ領域へ前記キャビティの全長にわたって延在し、前記キャビティを第１のポケットと第２のポケットに分離し、アパーチャーを有する分割部と、
を備え、
前記インサートは、前記キャビティ内に受容され、
前記インサートは、
１つのアパーチャーを有する第１のコンポーネントと、
前記第１のコンポーネントの前記１つのアパーチャーと同心である１つのアパーチャーを有する第２のコンポーネントと、
前記第１のコンポーネントと前記第２のコンポーネントを分離するスリットと、
を備える、ゴルフクラブヘッド。
【請求項２】
前記第１のコンポーネントは、前記キャビティの前記第１のポケット内に配置され、
前記第２のコンポーネントは、前記キャビティの前記第２のポケット内に配置される、請求項１に記載のゴルフクラブヘッド。
【請求項３】
前記第１のコンポーネントの前記１つのアパーチャー、及び、前記第２のコンポーネントの前記１つのアパーチャーは、前記キャビティの前記分割部の前記アパーチャーと同心である、請求項１又は２に記載のゴルフクラブヘッド。
【請求項４】
前記第１のコンポーネントの前記１つのアパーチャー、前記第２のコンポーネントの前記１つのアパーチャー、及び、前記分割部の前記アパーチャーは、締結具を受容する、請求項３に記載のゴルフクラブヘッド。
【請求項５】
前記分割部は、前記キャビティの前記サイド壁に対して平行に、前記キャビティの前記底部壁から延在している、請求項１から４のいずれか一項に記載のゴルフクラブヘッド。
【請求項６】
前記分割部は、前記キャビティの前記サイド壁に対して所定の角度で、前記キャビティの前記底部壁から延在しており、
前記キャビティの前記第１のポケットは、前記ゴルフクラブヘッドの前記トウ領域よりも前記ヒール領域において、幅が大きくなっている、請求項１から４のいずれか一項に記載のゴルフクラブヘッド。
【請求項７】
前記分割部は、前記キャビティの前記サイド壁に対して所定の角度で、前記キャビティの前記底部壁から延在しており、
前記キャビティの前記第１のポケットは、前記ゴルフクラブヘッドの前記ヒール領域よりも前記トウ領域において、幅が大きくなっている、請求項１から４のいずれか一項に記載のゴルフクラブヘッド。
【請求項８】
前記分割部は、前記キャビティの前記サイド壁から垂直に延在している、請求項１から４のいずれか一項に記載のゴルフクラブヘッド。
【請求項９】
前記第１のコンポーネント及び前記第２のコンポーネントは、タングステン、アルミニウム、チタン、バナジウム、クロム、コバルト、及び、ニッケルからなるグループの中から選択される金属を備える、請求項１から８のいずれか一項に記載のゴルフクラブヘッド。
【請求項１０】
ゴルフクラブヘッドであって、
ボディと、
インサートと、を備え、
前記ボディは、
前記ゴルフクラブヘッドのフロント側のストライクフェイスと、
前記ストライクフェイスに対向するバックフェイスと、
ヒール領域と、
前記ヒール領域に対向するトウ領域と、
ソールと、
前記ゴルフクラブヘッドのリア側のリア部と、
前記バックフェイスと前記リア部との間に設けられているキャビティと、
を備え、
前記キャビティは、
前記バックフェイスの一部分を構成するフェイスサイド壁、
前記フェイスサイド壁に対向するリアサイド壁と、
前記フェイスサイド壁と前記リアサイド壁との間の底部壁と、
前記底部壁から前記キャビティの一部の中へ延在するポストと、
前記フェイスサイド壁から前記リアサイド壁へ測定される幅と、
を備え、
前記インサートは、前記キャビティ内に受容され、
前記インサートは、
第１のコンポーネントであって、
前記ゴルフクラブヘッドの前記リアサイド壁に隣接するように構成されているバック表面と、
前記バック表面に対向するフロント表面と、
底部表面と、
前記底部表面に対向する頂部表面と、
トウ領域サイドと、
前記トウ領域サイドに対向するヒール領域サイドと、
弾性的に変形可能な材料と、を備える前記第１のコンポーネントと、
頂部表面、底部表面、及び、塑性変形可能な材料を備え、前記インサートの前記第１のコンポーネント内に受容されるように構成されているリテイナーと、
を備える、ゴルフクラブヘッド。
【請求項１１】
前記インサートの前記第１のコンポーネントは、さらに、前記インサートの前記底部表面から延在するインサートキャビティを備え、
前記インサートキャビティは、前記ポスト及び前記リテイナーを受容するように構成されている、請求項１０に記載のゴルフクラブヘッド。
【請求項１２】
前記リテイナーは、さらに、前記キャビティの前記ポスト上に配置されるボアを備える、請求項１１に記載のゴルフクラブヘッド。
【請求項１３】
前記リテイナーの前記ボアは、
複数のタブと、
前記タブ同士の間に配置されたキャビティと、
を備え、
前記タブは、前記リテイナーが前記第１のコンポーネント内に配置されているときに、前記インサートの前記第１のコンポーネントの前記頂部表面に向けて上向きに配向されている、請求項１２に記載のゴルフクラブヘッド。
【請求項１４】
前記インサートは、０．５グラム〜３６グラムの範囲にあるマスを備える、請求項１０から１３のいずれか一項に記載のゴルフクラブヘッド。
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
Ｘ線源と、
Ｘ線検出器と、
Ｘ線Ｃアームと、
ガンマカメラと、
ガンマカメラ支持構造体と、
を含み、
前記Ｘ線源と前記Ｘ線検出器との間の進路に沿ってＸ線透過率を測定するために、前記Ｘ線源は前記Ｘ線Ｃアームの第１の部分に取り付けられ、前記Ｘ線検出器は前記Ｘ線Ｃアームの第２の部分に取り付けられ、前記ガンマカメラは、前記ガンマカメラ支持構造体によって画定される線形軌道に沿って移動可能であり、前記線形軌道は、前記ガンマカメラが前記Ｘ線源と前記Ｘ線検出器との間の前記進路内に配置可能であるように、前記Ｘ線源と前記Ｘ線検出器との間の前記進路と交差する、医用撮像装置。
【請求項２】
Ｘ線Ｃアーム支持体を更に含み、
前記Ｘ線Ｃアームは、前記Ｘ線Ｃアームの並進又は回転の少なくとも一方のために、前記Ｘ線Ｃアーム支持体に取り付けられる、請求項１に記載の医用撮像装置。
【請求項３】
前記Ｘ線Ｃアーム支持体及び前記ガンマカメラ支持構造体は、互いに固定された機械的関係に保持される、請求項２に記載の医用撮像装置。
【請求項４】
前記ガンマカメラ支持構造体及び前記Ｘ線Ｃアームは、互いに対して独立して移動可能である、請求項１から３の何れか一項に記載の医用撮像装置。
【請求項５】
患者支持台を更に含み、
前記患者支持台は、前記患者支持台を長さ方向に通る縦軸に沿って並進可能であり、
前記Ｘ線源と前記Ｘ線検出器との前記進路は、前記縦軸に対して横方向に配置される、請求項１から４の何れか一項に記載の医用撮像装置。
【請求項６】
前記線形軌道及び前記縦軸は、相互に平行である、請求項５に記載の医用撮像装置。
【請求項７】
前記ガンマカメラは、前記患者支持台に対して並進可能である、請求項６に記載の医用撮像装置。
【請求項８】
前記ガンマカメラ支持構造体は、前記患者支持台によって支持される、請求項５から７の何れか一項に記載の医用撮像装置。
【請求項９】
前記線形軌道は、前記縦軸を横方向に交差する平面内に含まれる、請求項５に記載の医用撮像装置。
【請求項１０】
前記線形軌道は、前記Ｘ線源と前記Ｘ線検出器との間の前記進路と、前記Ｘ線検出器よりも前記Ｘ線源に近い点において交差する、請求項１から９の何れか一項に記載の医用撮像装置。
【請求項１１】
前記Ｘ線Ｃアームは、Ｘ線Ｃアーム軸の周りの回転用に構成され、
前記Ｘ線Ｃアーム軸と前記患者支持台を長さ方向に通る縦軸とは、相互に平行である、請求項５から１０の何れか一項に記載の医用撮像装置。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
項部透過像測定を行う超音波診断撮像システムであって、前記超音波診断撮像システムは、命令を含み、前記命令は実行されると、前記超音波診断撮像システムに、
超音波プローブを使用して、超音波画像データを取得させ、
前記超音波画像データから、胎児の少なくとも一部を含む胎児超音波画像を生成させ、
連続的な胎児超音波画像フレームを表示させ、
ズームボックスを前記胎児の項部襞上に配置させ、
前記連続的な胎児超音波画像フレームにおけるフレーム毎に前記ズームボックス内の胎児画像データを追跡させ、
項部透過像測定を行うために、前記胎児超音波画像のうちの１つ以上の胎児超音波画像における項部襞を解析させるようにし、
前記ズームボックスは、拡大係数に基づいて拡大のための画像を描出し、前記ズームボックスのサイズは、前記胎児の在胎期間に基づいて、前記超音波診断撮像システムによって自動的に設定される、超音波診断撮像システム。
【請求項２】
前記ズームボックスの前記サイズは更に、前記胎児の頭殿長に基づいている、請求項１に記載の超音波診断撮像システム。
【請求項３】
前記在胎期間は、前記超音波診断撮像システムに手動で入力される患者データに基づいている、請求項１に記載の超音波診断撮像システム。
【請求項４】
前記在胎期間は、胎児生体構造特徴に基づいている、請求項１に記載の超音波診断撮像システム。
【請求項５】
前記命令は更に、前記超音波診断撮像システムに、子宮内の胎児の動きを追跡させる、請求項１に記載の超音波診断撮像システム。
【請求項６】
前記命令は更に、前記超音波診断撮像システムに、フレーム毎に前記胎児の位置の変化を追跡させる、請求項１に記載の超音波診断撮像システム。
【請求項７】
前記命令は更に、前記超音波診断撮像システムに、胎児の位置の変化に応じて、前記胎児超音波画像上の前記ズームボックスを再配置させる、請求項６に記載の超音波診断撮像システム。
【請求項８】
項部透過像検査を行う方法であって、
関心の項部透過像領域を含む胎児の画像を取得するステップと、
前記関心の項部透過像領域上にズームボックスを配置するステップと、
前記ズームボックス内の胎児の動きをリアルタイムで自動的に追跡するステップと、
項部透過像測定を行うステップと、
を含み、
前記ズームボックスは、拡大係数に基づいて拡大のための画像を描出し、前記ズームボックスのサイズは、前記胎児の在胎期間に基づいて、ユーザのために自動的に設定される、方法。
【請求項９】
前記ズームボックスのサイズは更に、前記胎児の頭殿長に基づいている、請求項８に記載の方法。
【請求項１０】
胎児の動きを自動的に追跡する前記ステップは更に、時間的に異なる画像フレーム間の胎児の位置の変化を決定するステップを含む、請求項８に記載の方法。
【請求項１１】
胎児の動きを自動的に追跡する前記ステップは更に、胎児の位置の変化に応じて、前記胎児の画像上で前記ズームボックスを再配置するステップを含む、請求項１０に記載の方法。
【請求項１２】
胎児の動きを自動的に追跡する前記ステップは更に、フレーム毎の画像データの２Ｄ相関によって、１つの時間的画像フレームから別の時間的画像フレームへの胎児の位置の変化を計算するステップを含む、請求項１１に記載の方法。
【請求項１３】
前記命令は更に、前記超音波診断撮像システムに、前記ズームボックス内の前記画像のための前記拡大係数を自動的に計算させる、請求項１に記載の超音波診断撮像システム。
【請求項１４】
前記拡大係数は、前記胎児の前記在胎期間に基づいて計算される、請求項１３に記載の超音波診断撮像システム。
【請求項１５】
前記ズームボックスのサイズ及び前記拡大係数は、前記ズームボックスが前記胎児の上部胸部及び頭部領域のみを示すように設定される、請求項１３に記載の超音波診断撮像システム。
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
手持ちカテーテル力制御装置であって、
手持ちされる大きさとされた細長い基部であって、前記基部は、第１の長手方向端部と第２の長手方向端部との間に長手方向軸を画定し、前記第１の長手方向端部および前記第２の長手方向端部は互いに対向する、基部と、
前記基部の長手方向軸に対して平行な直線運動を提供するように前記基部に取り付けられた線形アクチュエータと、
前記基部に結合されたシースクランプであって、前記シースクランプは、シースハンドルを捕捉する大きさとされている、シースクランプと、
前記線形アクチュエータに結合されたカテーテルクランプであって、前記カテーテルクランプは、カテーテルを捕捉する大きさとされており、前記カテーテルクランプは、前記シースクランプと同軸であるように位置合わせされる、カテーテルクランプと、
前記基部に旋回可能に結合されたカバーと、
前記カバーと前記基部との対応する当接縁端部内に形成された側部ポート開口部であって、前記側部ポート開口部は、前記カバーおよび前記基部が閉位置にあるときに形成され、側部ポートは前記シースハンドルから半径方向に延びる、側部ポート開口部と、
を備える、装置。
【請求項２】
前記シースクランプは、前記カバーおよび前記基部の対応する当接縁端部内に形成された開口部であり、前記開口部は、前記カバーおよび前記基部が閉位置にあるときに形成される、請求項１に記載の装置。
【請求項３】
前記装置は、前記基部に結合された誘導開口部をさらに備え、前記誘導開口部は、前記カテーテルの自由摺動通過を可能にする大きさとされており、前記誘導開口部は、前記カテーテルクランプおよび前記シースクランプと同軸である、請求項１に記載の装置。
【請求項４】
前記シースクランプは前記第１の長手方向端部に配置され、前記誘導開口部は前記第２の長手方向端部に配置され、前記カテーテルクランプはそれらの間に配置される、請求項３に記載の装置。
【請求項５】
前記誘導開口部は、前記カバーおよび前記基部の対応する当接縁端部内に形成され、前記誘導開口部は、前記カバーおよび前記基部が閉位置にあるときに形成される、請求項３または４に記載の装置。
【請求項６】
前記線形アクチュエータは、橇摺動軌道機構、あるいは磁性ロッド上に取り付けられたコイルアセンブリ、あるいは回転ステッピングモータまたはＤＣモータ機構を有する送りねじと送りナット、あるいは圧電アクチュエータまたはボイスコイルである、請求項１乃至５のいずれか一項に記載の装置。
【請求項７】
前記基部の第１の長手方向端部に取り付けられた第１のリミットスイッチと、
前記基部の第２の長手方向端部に取り付けられた第２のリミットスイッチと、
をさらに備える、請求項１乃至６のいずれか一項に記載の装置。
【請求項８】
カテーテル力制御システムであって、
カテーテルおよびシースハンドルに結合された請求項１乃至７のいずれか一項に記載の装置と、
前記カテーテルの遠端に配置された力センサであって、前記遠端は標的組織との接触のために構成され、前記力センサはリアルタイム接触力データを検出する、力センサと、
前記リアルタイム接触力データを受信するための、かつ、前記リアルタイム接触力データと事前設定済みの所望の接触力との間の差を最小限にするために制御信号を発生して前記線形アクチュエータに伝達するためのコントローラと、
を備える、システム。
【請求項９】
前記コントローラは、比例微分積分（ＰＩＤ）コントローラ、ハイブリッドＰＩＤコントローラ、スミス予測器コントローラ、モデル予測コントローラ、またはカルマンフィルタコントローラである、請求項８に記載のシステム。
【請求項１０】
前記コントローラは、前記システム内の遅延を補償する遅延に基づく修正因子、心臓運動外乱を補償する心臓修正因子、または呼吸運動外乱を補償する呼吸修正因子を含む、請求項８または９に記載のシステム。
【請求項１１】
前記コントローラは、リアルタイム患者固有データを受信し、前記リアルタイム患者固有データを使用して前記リアルタイム接触力データと前記事前設定済みの所望の接触力との差を最小限にするように前記制御信号を発生する、請求項８乃至１０のいずれか一項に記載のシステム。
【請求項１２】
前記リアルタイム患者固有データは、前記カテーテルとの接触点における組織温度、心電図、呼吸数、カテーテル−組織侵入角、またはそれらの任意の組み合わせである、請求項１１に記載のシステム。
【請求項１３】
前記コントローラは、力時間積分（ＦＴＩ）を計算するようにプログラムされ、所望のＦＴＩに達した時点で前記カテーテルを退避させるために制御信号を自動的に送信する、請求項８乃至１２のいずれか一項に記載のシステム。
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
複数の異なる標的細菌に感染することができる改変バクテリオファージを含み、
前記バクテリオファージは、前記標的細菌に対して毒性である毒素タンパク質をコードする毒素遺伝子を含み、溶菌性であり、複数の細菌宿主特異性を有する宿主域決定因子タンパク質を発現することを特徴とする細菌細胞増殖を阻害又は予防するための剤。
【請求項２】
前記毒素遺伝子が、ＳＡＳＰをコードするα／β低分子酸可溶性胞子タンパク質（ＳＡＳＰ）遺伝子を含む；任意に前記ＳＡＳＰが、ＳＡＳＰ−Ｃである；任意に前記ＳＡＳＰ−Ｃが、バシラス・メガテリウム由来である請求項１に記載の剤。
【請求項３】
前記宿主域決定因子の細菌宿主特異性が、同一細菌種内にある請求項１に記載の剤。
【請求項４】
前記毒素遺伝子が、構成的プロモーターの制御下にある；任意に前記構成的プロモーターが、ｐｄｈＡ、ｒｐｓＢ、ｐｇｉ、ｆｄａ、ｌａｓＢ、及びそれらと９０％を超える配列同一性を有するプロモーターから選択される；任意に前記構成的プロモーターが、ｆｄａである請求項１から３のいずれかに記載の剤。
【請求項５】
前記標的細菌の少なくとも１つが、シュードモナス、又は複数の異なるシュードモナス細菌である；任意に前記シュードモナス細菌が、緑膿菌を含む請求項１から４のいずれかに記載の剤。
【請求項６】
ハイブリッド宿主域決定因子が、複数の異なる感染部位に由来し、且つ抗生物質耐性表現型の範囲を含む、少なくとも３５種、好ましくは５０種を超える臨床分離株の集団の５０％超により定義される広い宿主域を有する、及び／又は前記宿主域決定因子が、尾部繊維タンパク質を含む；任意に各尾部繊維タンパク質が、前記標的細菌に結合するための受容体結合領域、及び前記受容体結合領域をバクテリオファージの本体に連結する領域を含む；任意に前記受容体結合領域がＣ末端受容体結合領域であり、前記Ｃ末端受容体結合領域を前記バクテリオファージの本体に連結する領域がＮ末端領域である；任意にバクテリオファージＰｈｉ３３のアミノ酸配列に基づいて、前記Ｎ末端領域が前記尾部繊維タンパク質のアミノ酸１〜６２８を含み、前記Ｃ末端領域が前記尾部繊維タンパク質のアミノ酸６２９〜９６４を含む；任意に前記Ｃ末端領域が、バクテリオファージＰｈｉ３３のＣ末端領域と９６％以下のアミノ酸配列同一性を有する；任意に前記Ｃ末端領域が、バクテリオファージＰｈｉ３３、ＬＢＬ３、ＳＰＭ−１、Ｆ８、ＰＢ１、ＫＰＰ１２、ＬＭＡ２、ＳＮ、１４−１、ＪＧ０２４、ＮＨ４、ＰＴＰ４７、ＰＴＰ９２、Ｃ３６、及びＰＴＰ９３のいずれか１つに由来する；任意に前記Ｃ末端領域のアミノ配列同一性が、８０％未満である、又は７０％未満である、又は６０％未満である請求項１から５のいずれかに記載の剤。
【請求項７】
前記Ｎ末端領域が、バクテリオファージＰｈｉ３３のＮ末端領域と少なくとも９５％のアミノ酸配列同一性を有する；任意に前記Ｎ末端領域が、バクテリオファージＰｈｉ３３、ＬＢＬ３、ＳＰＭ−１、Ｆ８、ＰＢ１、ＫＰＰ１２、ＬＭＡ２、ＳＮ、１４−１、ＪＧ０２４、ＮＨ４、ＰＴＰ４７、ＰＴＰ９２、Ｃ３６、及びＰＴＰ９３のいずれか１つに由来する；任意に前記改変バクテリオファージがバクテリオファージＰＴＰ３８７である請求項６に記載の剤。
【請求項８】
前記宿主域決定因子タンパク質が、複数の異なるバクテリオファージ由来のアミノ酸配列をそれぞれが含むハイブリッド宿主域決定因子タンパク質である；任意に前記ハイブリッド宿主域決定因子タンパク質が、Ｃ末端受容体結合領域及び前記Ｃ末端受容体結合領域を前記バクテリオファージの本体に連結するＮ末端領域を含むハイブリッド尾部繊維タンパク質を含み、前記Ｃ末端及びＮ末端領域がそれぞれ異なるバクテリオファージに由来する；任意に各ハイブリッド尾部繊維タンパク質が、バクテリオファージＰＴＰ４７のＣ末端受容体結合領域及びバクテリオファージＰｈｉ３３のＮ末端領域を含む；任意に各ハイブリッド尾部繊維タンパク質が、バクテリオファージＰＴＰ９２のＣ末端受容体結合領域及びバクテリオファージＰｈｉ３３のＮ末端領域を含む請求項１から７のいずれかに記載の剤。
【請求項９】
前記バクテリオファージが、複数の異なる宿主域決定因子を発現し、各宿主域決定因子は異なる細菌宿主特異性を有する；任意に各宿主域決定因子タンパク質が、Ｐｈｉ３３、ＬＢＬ３、ＳＰＭ−１、Ｆ８、ＰＢ１、ＫＰＰ１２、ＬＭＡ２、ＳＮ、１４−１、ＪＧ０２４、ＮＨ４、ＰＴＰ４７、ＰＴＰ９２、Ｃ３６、及びＰＴＰ９３から選択されるバクテリオファージに由来する尾部繊維タンパク質を含む請求項１から７のいずれかに記載の剤。
【請求項１０】
標的細菌に感染することができ、前記標的細菌に対して毒性であるＳＡＳＰをコードするＳＡＳＰ遺伝子を含む少なくとも１つの他の改変バクテリオファージと混合される請求項１から９のいずれかに記載の剤。
【請求項１１】
細菌感染の治療に使用するための；任意に前記細菌感染が、限局性臓器感染又は多臓器感染を含む；任意に前記感染が、局所感染、経口感染、呼吸器感染、眼感染、又は血流感染を含む；任意にヒトの治療用である請求項１から１０のいずれかに記載の剤。
【請求項１２】
細菌細胞増殖の治療的阻害又は予防における使用のための、請求項１から１０のいずれかで定義された改変バクテリオファージを含むことを特徴とする細菌細胞増殖を阻害又は予防するための剤。
【請求項１３】
請求項１から１０のいずれかで定義された改変バクテリオファージ及びそのための担体を含む；任意に少なくとも２つが異なる宿主特異性を有する複数の前記改変バクテリオファージを含むことを特徴とする細菌細胞増殖を阻害又は予防するための組成物。
【請求項１４】
バクテリオファージＰＴＰ３８７、バクテリオファージＰＴＰ３８８、及びバクテリオファージＰＴＰ３８９を含む請求項１３に記載の組成物。
【請求項１５】
医薬における使用のために製剤化される、局所使用のために製剤化される、又は呼吸器への送達のために製剤化される請求項１３から１４のいずれかに記載の組成物。
【請求項１６】
細菌除染剤としての；任意に表面細菌汚染の処理、土地修復、又は水処理を含む請求項１から１０のいずれかで定義された改変バクテリオファージの使用。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
1つ又は複数のゲノムの改変を含む、単離された初代ヒトB細胞であって、
前記1つ又は複数のゲノムの改変が、1つ又は複数のB細胞受容体座位における1つ又は複数の核酸配列の挿入を含み、
前記1つ又は複数の核酸配列の挿入が、外来性の抗体及びマーカーをコードし、並びに、
前記B細胞が内在性の抗体を発現する、
単離された初代ヒトB細胞。
【請求項２】
前記B細胞が内在性B細胞受容体を発現しない、請求項1に記載の単離された初代ヒトB細胞。
【請求項３】
前記B細胞における前記1つ又は複数のゲノムの改変が、内在性B細胞受容体をコードする1つ又は複数のB細胞受容体座位の1つ又は複数の核酸配列の欠失を含む、請求項2に記載の単離された初代ヒトB細胞。
【請求項４】
前記B細胞は、外来性抗体を分泌する、請求項1から3のいずれか一項に記載の単離された初代ヒトB細胞。
【請求項５】
前記外来性の抗体は、TNF-α、IGHE、IL-1、IL-Iβ、IL-2、IL-4、IL-5、IL-6、IL-6R、IL-9、IL-12、IL-13、IL-17A、IL-20、IL-22、IL-23、IL-25、BAFT、RANKL、インテグリン-α4、VEGF-A、VEGFR1、VEGFR2、EGFR、HER2、HER3、CA125、インテグリンα4β7、インテグリンα7β7、インターフェロンα/β受容体、CXCR4、CD2、CD3、CD4、CD5、CD6、CD19、CD20、CD22、CD23、CD25、CD27、CD28、CD30、CD33、CD37、CD38、CD40、CD41、CD44、CD51、CD52、CD56、CD70、CD74、CD79B、CD80、CD125、CD137、CD140a、CD147、CD152、CD154、CD200、CD221、CCR4、CCR5、gpl20、アンジオポエチン3、PCSK9、HNGF、HGF、GD2、GD3、C5、FAP、ICAM-1、LFA-1、インターフェロン-α、インターフェロン-γ、インターフェロン-γ誘導タンパク質、SLAMF7、HHGFR、TWEAK受容体、NRP1、EpCAM、CEA、CEA関連抗原メソテリン(mesothelin)、MUC1、IGF-1R、TRAIL-R2、DR5、DLL4、VWF、MCP-1、β-アミロイド、ホスファチジルセリン、アカゲザル因子、CCL11、NARP-1、RTN4、ACVR2B、SOST、NOGO-A、スクレロスチン、炭疽菌、トリインフルエンザ、インフルエンザA赤血球凝集素、A型肝炎ウイルス、B型肝炎ウイルス、C型肝炎ウイルス、呼吸器多核体ウイルス、狂犬病ウイルス糖タンパク質、サイトメガロウイルス糖タンパク質B、結核、エボラ、黄色ブドウ球菌(Staphylococcus aureus)、SARS、MERS、マラリア、RSV、HPV、TGF-β、TGF-βRl、NGF、LTA、AOC3、ITGA2、GM-CSF、GM-CSF受容体、oxLDL、LOXL2、RON、KIR2D、PD-1、PD-L1、CTLA-4、LAG-3、TIM-3、BTLA、エピシアリン、ミオスタチン、又はHTV-lに対して特異的である、請求項1から4のいずれか一項に記載の単離された初代ヒトB細胞。
【請求項６】
前記1つ又は複数のゲノムの改変が、ヌクレアーゼを用いて達成される、請求項1から5のいずれか一項に記載の単離された初代ヒトB細胞。
【請求項７】
前記ヌクレアーゼが、操作されたヌクレアーゼである、請求項6に記載の単離された初代ヒトB細胞。
【請求項８】
前記ヌクレアーゼが、CRISPRヌクレアーゼ、ジンクフィンガーヌクレアーゼ、メガヌクレアーゼ、又は、転写活性化因子様エフェクターヌクレアーゼである、請求項6に記載の単離された初代ヒトB細胞。
【請求項９】
前記CRISPRヌクレアーゼが、Casヌクレアーゼ、Cpf1ヌクレアーゼ、C2c1ヌクレアーゼ、C2c3ヌクレアーゼ、又は、それらのニッカーゼバリアントである、請求項8に記載の単離された初代ヒトB細胞。
【請求項１０】
前記1つ又は複数の核酸配列の挿入が、外来性抗体の軽鎖及び重鎖をコードする、請求項1から9のいずれか一項に記載の単離された初代ヒトB細胞。
【請求項１１】
前記1つ又は複数のB細胞受容体座位が、少なくとも1つのB細胞受容体軽鎖座位及びB細胞受容体重鎖座位を含む、請求項1から10のいずれか一項に記載の単離された初代ヒトB細胞。
【請求項１２】
前記1つ又は複数のB細胞受容体座位が、IGHV、IGHD、IGHJ、IGHC、IGKV、IGKJ、IGLV、IGLJ、及び、IGLCから選択される、請求項1から11のいずれか一項に記載の単離された初代ヒトB細胞。
【請求項１３】
前記1つ又は複数のB細胞受容体座位が、再構成された可変領域の上流の遺伝子座位を含む、請求項1から12のいずれか一項に記載の単離された初代ヒトB細胞。
【請求項１４】
前記再構成された可変領域が、IGHV3-23又はIGKV3-20である、請求項13に記載の単離された初代ヒトB細胞。
【請求項１５】
前記1つ又は複数のB細胞受容体座位が、再構成された結合領域の下流の遺伝子座位を含む、請求項1から14のいずれか一項に記載の単離された初代ヒトB細胞。
【請求項１６】
前記再構成された結合領域が、IGHJ6又はIGKJ5である、請求項15に記載の単離された初代ヒトB細胞。
【請求項１７】
前記マーカーが、目に見えるマーカー、蛍光マーカー、選別可能なマーカー、表現型マーカー、栄養要求性マーカー、抗生剤耐性マーカー、抗原感受性マーカー、細胞表面マーカー、酵素マーカー、又は、核酸マーカーである、請求項1から16のいずれか一項に記載の単離された初代ヒトB細胞。
【請求項１８】
請求項1から17のいずれか一項に記載の単離された初代ヒトB細胞から増殖した、単離された初代ヒトリンパ球。
【請求項１９】
請求項1から17のいずれか一項に記載の単離された初代ヒトB細胞から増殖した、単離した初代ヒトリンパ球の集団。
【請求項２０】
請求項19に記載の単離した初代ヒトリンパ球の集団を含む医薬組成物。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
液体サンプル中の細胞を計測する方法であって、以下のステップ：
ａ)二量体核酸色素および緩衝剤を含む染色組成物を前記サンプルと混合し；
ｂ)ステップａ)の混合物を適宜超音波処理し；
ｃ)約４５℃から約９５℃の温度で１０分未満の時間、混合物をインキュベートし；
ｄ)ステップｃ)のインキュベートした混合物を適宜超音波処理し；
ｅ)前記混合物、またはその一部の中の前記色素によって染色された細胞を計測すること
を含む前記方法であり、ここで、核酸は式：
Ｑ１−架橋−Ｑ２
[式中、Ｑ１およびＱ２は核酸色素部位であり、架橋はＱ１およびＱ２を連結する。]
を有する、方法。
【請求項２】
二量体核酸色素が、３７℃および中性ｐＨで３０分間インキュベートした後に、ＨｅＬａ細胞に対して細胞非透過性である、請求項１に記載の方法。
【請求項３】
二量体核酸色素が、必要に応じて解離する機構でＤＮＡに結合することが可能である、請求項１または２のいずれかに記載の方法。
【請求項４】
架橋が約８から約１５０の非水素原子を含む、実質的に脂肪族で実質的に中性なリンカーである、請求項３に記載の方法。
【請求項５】
架橋が式：
【化１】
2019510512.tif 000001
[式中、
それぞれのＬは架橋の一部であり、Ｑ１またはＱ２に共有結合し、独立して、単結合と、１つの炭素原子から約１２個の炭素原子を有するポリメチレン単位とを含む部位であり、適宜、Ｎ、ＯおよびＳから選択される少なくとも１つのヘテロ原子、またはＮ、ＯおよびＳから選択される少なくとも１つのヘテロ原子を適宜含むアリール基を含み、
α、β、γ、δ、ε、ζ、η、θ、およびιは、独立して０または１から約２０の整数であり、
ａ、ｂ、ｃ、ｄ、ｅ、ｆ、ｇ、ｈ、およびｉは独立して０または１から約２０の整数であり、
Ａ１、Ａ２、Ａ３、Ａ４、Ａ５、Ａ６、Ａ７、Ａ８、Ａ９およびＡ１０は独立して、核酸結合促進基、適宜Ｎ、ＯおよびＳから選択される少なくとも１つのヘテロ原子を含む分岐アルキル、および適宜Ｎ、ＯおよびＳから選択される少なくとも１つのヘテロ原子を含む少なくとも１つの飽和５員または６員環から成る群から選択される。]
を有する、請求項４に記載の方法。
【請求項６】
架橋が式：
【化２】
2019510512.tif 000002
[式中、
架橋のそれぞれのＬは−(ＣＨ２)ｘ−であり、ここで、それぞれのｘは独立して、１から１１から選択される整数であり、
αは２から約２０から選択される整数であってもよく、
βおよびγは、独立して０、２、または３であり、
ｂは０、または１から約２０から選択される整数であり、
ｃは０、１、または２である。]
を有する、請求項５に記載の方法。
【請求項７】
架橋のそれぞれのＬが−(ＣＨ２)ｘ−であり、ここでｘのそれぞれは５であり、
αが２または３であり、
βが２であり、
ｂが１または２であり、
ｃが０、１、または２であり、
ｃが１または２のとき、γが３である、
請求項６に記載の方法。
【請求項８】
架橋が、
【化３】
2019510512.tif 000003
から成る群から選択される式を有する、請求項７に記載の方法。
【請求項９】
Ｑ１および／またはＱ２が蛍光核酸色素部位である、前記のいずれかの請求項に記載の方法。
【請求項１０】
Ｑ１およびＱ２が同じである、前記の請求項のいずれかに記載の方法。
【請求項１１】
緩衝剤が有機緩衝剤である、前記の請求項のいずれかに記載の方法。
【請求項１２】
染色組成物がさらに、セリンエンドペプチダーゼなどのプロテアーゼを含む、前記の請求項のいずれかに記載の方法。
【請求項１３】
前記細胞が体細胞および／または細菌細胞である、前記の請求項のいずれかに記載の方法。
【請求項１４】
前記の請求項のいずれかに記載の方法を実行するために設計された装置であって、以下：
液体サンプルを混合カップに供給するためのサンプル流入口；
混合カップに染色組成物を供給するための染色組成物流入口、ここで、前記染色組成物は二量体核酸色素および緩衝剤を含み、前記二量体核酸色素は式：
Ｑ１−架橋−Ｑ２
[式中、Ｑ１およびＱ２は核酸色素部位であり、架橋はＱ１およびＱ２を連結する。]
を有する；
前記液体サンプルを前記染色組成物と混合して、混合物を得るための前記混合カップ；
前記混合物を、約４５℃から約９５℃の適切な温度に、１０分未満の時間加熱するための発熱体；
前記混合物またはその一部を得て、前記混合物またはその一部を測定モジュールに供給するための出口；
混合物または前記その一部で染色された細胞を計測するための測定モジュール；
を含む前記装置であって、当該装置は適宜、前記混合物に超音波の形態でエネルギーを与えるための超音波処理機を含み、ここで、超音波処理機の先端は前記混合カップの内部に配置されているか、または、前記混合カップに対して配置されている、装置。
【請求項１５】
ａ)液体サンプルおよび染色組成物を混合カップに分注するためのサンプル流入口および染色組成物流入口を制御し、
ｂ)液体サンプルおよび染色組成物を混合カップ中で混合して混合物を得るための混合カップを制御し、
ｃ)混合物を超音波処理するための任意の超音波処理機を適宜制御し、
ｄ)混合物を、約４５℃から約９５℃の適切な温度に１０分未満の時間加熱するための発熱体を制御し、
ｅ)インキュベートした混合物を超音波処理するための任意の超音波処理機を適宜制御し、
ｆ)混合物またはその一部を計測モジュールに供給するための出口を制御し、
ｇ)混合物またはその一部に含まれる前記色素で染色された細胞を計測するための計測モジュールを制御する
ように構成された制御装置をさらに含む、請求項１４に記載の装置。
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
複合の眼の血流解析装置であって、
ヒトの眼に接触して置かれるように適合された圧力プローブ；および
空圧流体を制御された実質的に一定の流速でプローブに供給するように適合された空圧流体供給源を含む、複合の眼の血流解析装置。
【請求項２】
圧力プローブ中の流体圧力を表わす電気アナログ信号を生成するように適合された、プローブに供給された流体に反応する圧力変換器をさらに含む、請求項１に記載の複合の眼の血流解析装置。
【請求項３】
眼内の血流に関する情報を表わす信号を生成するための圧力プローブに反応する信号プロセッサをさらに含む、請求項１に記載の複合の眼の血流解析装置。
【請求項４】
眼の血流情報が、眼内の単位時間の血流速度当たりの量である、請求項３に記載の複合の眼の血流解析装置。
【請求項５】
圧力プローブが、患者によって示される可能性のある眼内圧の範囲に実質的にわたって眼内圧と直線的に関連する圧力信号を生成する、請求項１に記載の複合の眼の血流解析装置。
【請求項６】
圧力変換器からの生のプローブ圧力信号に反応する電子回路をさらに含み、該電子回路が、生のプローブ圧力信号における対象のフィルター処理された領域を識別するように構成される、請求項２に記載の複合の眼の血流解析装置。
【請求項７】
複合の眼の血流を測定する方法であって、
ブラシレスＤＣ電気モーターによって駆動された、圧力補償された流量調整ポンプから流体を供給された圧力プローブを用いて眼に力を適用する工程；および
プローブの眼との接触に応じた圧力プローブにおける圧力変動を検知する工程を含む、方法。
【請求項８】
時間に応じた圧力プローブの生の空気圧を表わすプローブ圧力データを生成するように適合された、圧力プローブに反応するデジタル信号プロセッサをさらに含む、請求項１に記載の複合の眼の血流解析装置。
【請求項９】
プローブ圧力データにおける対象の脈動領域を識別するように適合された、プローブ圧力データに反応する電子回路をさらに含む、請求項８に記載の複合の眼の血流解析装置。
【請求項１０】
電子回路が、
平滑化されたプローブ圧力データを生成するように適合された、プローブ圧力データに反応する平滑化回路；
平滑化されたプローブ圧力データを微分するように適合された、平滑化されたプローブ圧力データに反応する微分回路；および
第１の予め決められた値より上の及び第２の予め決められた値より下の微分回路出力を検出するように適合された閾値回路であって、対象の脈動領域が、第１の予め決められた値の出現と第２の予め決められた値の出現との間の期間内にある、閾値回路を含む、請求項９に記載の複合の眼の血流解析装置。
【請求項１１】
プローブ圧力データが、少なくとも５０−２００Ｈｚの比率で得られた少なくとも５−１５秒間の１４ビットのサンプルである、請求項８に記載の複合の眼の血流解析装置。
【請求項１２】
時間に応じた眼の血流を表わすデータを生成するように適合された、圧力プローブに反応する電子回路をさらに含む、請求項１に記載の複合の眼の血流解析装置。
【請求項１３】
空圧流体供給源が、
眼の表面に力を適用するための圧力プローブに空圧流体の圧流を提供するように適合された出力部を有しているポンプ；および
ポンプの出力部からの流体の圧力を制御するためのポンプに接続されたブラシレスＤＣ電気モーターを含む、請求項１に記載の複合の眼の血流解析装置。
【請求項１４】
空圧流体供給源が、
入力部および出力部を有している圧力補償された流量制御装置を含み、流量制御装置の入力部はポンプの出力部に接続され、流量制御装置の出力部は圧力プローブに接続され、圧力補償された流量制御装置は、ポンプから圧力プローブに流量の圧力補償された一定速度を提供するように適合されている、請求項１３に記載の複合の眼の血流解析装置。
【請求項１５】
圧力補償された流量制御装置が、
圧力プローブへ向かう所望の流体の流速に結果としてつながる圧力低下をもたらすように適合された流量制限器；および
圧力プローブに対する実質的に一定の流体流速を維持するように流量制限器によってもたらされた圧力低下の変化に反応する補償構造を含む、請求項１４に記載の複合の眼の血流解析装置。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
タンパク質の混合物及び少なくとも１つのポリマーを含む複合材料であって、前記タンパク質の混合物は、異なる分子量の「ｍ」種のタンパク質を含み、前記混合物中の各タンパク質は、独立して、大瓶状腺スピドロイン（ＭａＳｐ）タンパク質、又はその機能的相同体、バリアント、誘導体若しくは断片、の反復領域のリピートを「ｎ」個含み、ｍ及びｎは、独立して２〜７０の整数である、複合材料。
【請求項２】
前記タンパク質の混合物が、
（ａ）各リピートが２ｋＤａ〜３.５ｋＤａの範囲の分子量を有する；
（ｂ）「ｎ」対「ｍ」の比が１．５：１〜１：１．５の範囲にある；
（ｃ）繊維、任意選択で少なくとも３０％の多孔度を特徴とする繊維、の形態にある、
からなる群から選択される１以上の性質を特徴とする、請求項１に記載の複合材料。
【請求項３】
前記ポリマーが、合成ポリマー、熱可塑性ポリマー、熱硬化性エポキシ、ポリエステル、ポリアミド、ポリオール、ポリウレタン、ポリエチレン、ナイロン、ポリアクリレート、ポリカーボネート、ポリ乳酸（ＰＬＡ）又はそのコポリマー、シリコン、液晶ポリマー、無水マレイン酸グラフト化ポリプロピレン、ポリカプロラクトン（ＰＣＬ）、ゴム、セルロース、又はそれらの任意の組み合わせであり、任意選択で、少なくとも１つのポリマーは、非ＭａＳｐタンパク質由来のポリマーであってもよい、請求項１〜２のいずれか一項に記載の複合材料。
【請求項４】
前記タンパク質のそれぞれが、独立して、配列番号１：
（Ｘ１）ｚＸ２ＧＰＧＧＹＧＰＸ３Ｘ４Ｘ５ＧＰＸ６ＧＸ７ＧＧＸ８ＧＰＧＧＰＧＸ９Ｘ１０
（式中、Ｘ１が、独立して、各場合においてＡ又はＧであり、（Ｘ１）Ｚの少なくとも５０％がＡであり、Ｚが５〜３０の整数であり、Ｘ２がＳ又はＧであり、Ｘ３がＧ又はＥであり、Ｘ４がＧ、Ｓ又はＮであり、Ｘ５がＱ又はＹであり、Ｘ６がＧ又はＳであり、Ｘ７がＰ又はＲであり、Ｘ８がＹ又はＱであり、Ｘ９がＧ又はＳであり、かつＸ１０がＳ又はＧである）
に記載のアミノ酸配列を含む、請求項１〜３のいずれか一項に記載の複合材料。
【請求項５】
前記反復領域が、配列番号３（ＡＡＡＡＡＡＡＡＳＧＰＧＧＹＧＰＧＳＱＧＰＳＧＰＧＧＹＧＰＧＧＰＧＳＳ）に記載のアミノ酸配列を含む、請求項１〜４のいずれか一項に記載の複合材料。
【請求項６】
（ｉ）タンパク質の前記混合物を含まないポリマーの性質と比較して改善された少なくとも１つの機械的性質；または（ｉｉ）少なくとも０.５ミクロンの厚さの層；を特徴とし、前記性質が、ヤング率、引張強度、破断歪み、降伏点、靭性、破壊までの仕事量、衝撃強度、引裂強度、曲げ弾性率、曲げ歪み及び特定の割合の伸長時の応力からなる群から選択される、請求項１〜５のいずれか一項に記載の複合材料。
【請求項７】
前記タンパク質の総濃度が、前記複合材料の総重量の約０.１重量％〜約１０重量％の範囲にある、請求項１〜６のいずれか一項に記載の複合材料。
【請求項８】
請求項１〜７のいずれか一項に記載の複合材料を含む物品であって、任意選択で生体適合性材料又は埋め込み用材料をさらに含んでもよい、物品。
【請求項９】
請求項１〜７のいずれか一項に記載の複合材料と、薬学的に許容される担体と、を含む医薬組成物。
【請求項１０】
請求項１〜７のいずれか一項に記載の複合材料を作製する方法であって、前記複合材料を形成するために、前記タンパク質の混合物を前記ポリマーに接着させる工程を含む、方法。
【請求項１１】
（ｉ）溶融ポリマーを取得するために前記ポリマーを溶融し、前記タンパク質の混合物を前記溶融ポリマーに変換する工程；（ｉｉ）前記ポリマーを溶解して溶解ポリマーを取得し、前記タンパク質の混合物を前記溶融ポリマーに変換する工程；（ｉｉｉ）前記ポリマーを押し出す工程；（ｉｖ）連続した電界紡糸により前記タンパク質の層を１つ以上形成する工程；から選択される少なくとも１つの工程を含む、請求項１０に記載の方法。
【請求項１２】
（ａ）異なる分子量の「ｍ」種のタンパク質を含む繊維であって、前記「ｍ」種のタンパク質における各タンパク質が、独立して、大瓶状腺スピドロイン（ＭａＳｐ）タンパク質、又はその機能的相同体、バリアント、誘導体若しくは断片、の反復領域のリピートを「ｎ」個含み、ｍ及びｎは独立して２〜７０の整数である、繊維と、（ｂ）生体適合性材料、細胞培地、細胞、又はそれらの任意の組み合わせと、を含む組成物。
【請求項１３】
前記生体適合性材料が、組織足場、医療用装置、創傷ケア包帯、又は縫合糸である、請求項１２に記載の組成物。
【請求項１４】
細胞遊走を増強するか、細胞増殖を増強するか、細胞死を阻害するか、細胞の接着を増強するか、又はそれらの任意の組み合わせのための方法であって、
異なる分子量の「ｍ」種のタンパク質を含む繊維であって、前記「ｍ」種のタンパク質における各タンパク質が、独立して、大瓶状腺スピドロイン（ＭａＳｐ）タンパク質、又はその機能的相同体、バリアント、誘導体若しくは断片、の反復領域のリピートを「ｎ」個含み、ｍ及びｎは独立して２〜７０の整数である、繊維を含む組成物と、前記細胞と、を接触させること
を含み、任意選択で、前記組成物は、表面上に接着していてもよいか細胞培地と混合されてもよい、方法。
【請求項１５】
表面上の所定数の細胞層をアセンブルするためのインビトロまたはエクスビボの方法であって、
異なる分子量の「ｍ」種のタンパク質を含む繊維であって、前記「ｍ」種のタンパク質における各タンパク質が、独立して、大瓶状腺スピドロイン（ＭａＳｐ）タンパク質、又はその機能的相同体、バリアント、誘導体若しくは断片、の反復領域のリピートを「ｎ」個含み、ｍ及びｎは独立して２〜７０の整数である、繊維の所定量を前記表面に適用することを含み、
前記所定量が所定数の細胞層と相関し、
任意選択で、記所定数の細胞層は、１〜４枚の細胞層であってもよく、
さらに任意選択で、（ｉ）１層が１×１０３〜８×１０５の前記繊維／ｃｍ２を必要とする；（ｉｉ）２層が４×１０５〜１８×１０５の前記繊維／ｃｍ２を必要とする；（ｉｉｉ）３〜４層が１８×１０５の前記繊維／ｃｍ２を必要とする；のいずれか１つであってもよい、
方法。
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
ガス試料またはガス流中の１以上の標的ガス種の濃度を測定するためのアンペロメトリック電気化学センサであって、前記センサは、
第１および第２の表面電極；
酸素イオン伝導性の固体電解質層；
導電性の受動的な信号増幅層（「ＳＡＬ」）；及び
電気バイアスを、前記ＳＡＬには加えないが、前記第１および第２の表面電極間に加えるためのバイアス源；
を有する少なくとも１個の電気化学セル
を備え、前記第１および第２の表面電極は前記電解質層の同じ面の上に位置し、前記電解質層の少なくとも一部分は前記表面電極と前記ＳＡＬとの間に位置し、その結果前記ＳＡＬは前記電解質層と直接導電接触しているが前記表面電極とは直接接触していない、センサ。
【請求項２】
前記第１の電極が、少なくとも１つのモリブデン酸塩またはタングステン酸塩化合物を含み、さらに前記少なくとも１つのモリブデン酸塩またはタングステン酸塩化合物が、ＡＸ（Ｍｏ（１−Ｚ）ＷＺ）ＹＯ（Ｘ＋３Ｙ）（式中、ＸおよびＹは、各々独立に１〜５の整数から選択され、０≦Ｚ≦１であり、Ａは、Ｍｇ、Ｚｎ、Ｎｉ、Ｃｏ、Ｆｅ、Ｍｎ、Ｃｕ、Ｃａ、Ｓｒ、Ｂａ、およびＰｂの１以上である）を含む、請求項１に記載のセンサ。
【請求項３】
前記少なくとも１つのモリブデン酸塩またはタングステン酸塩化合物が、ＭｇＭｏＯ４、ＭｇＷＯ４、ＢａＷＯ４またはＣｏＷＯ４を含む、請求項２に記載のセンサ。
【請求項４】
前記第１の電極が、（ａ）少なくとも１つのモリブデン酸塩またはタングステン酸塩化合物；および（ｂ）少なくとも１つのセラミック電解質材料：の複合混合物を含む、請求項２または３に記載のセンサ。
【請求項５】
前記第１の電極が、約０．１重量％〜１０重量％の、Ｐｔ、Ｐｄ、Ｒｈ、Ｒｕ、Ｉｒ、および前述のいずれかの合金または混合物からなる群から選択される少なくとも１つの金属をさらに含む、請求項４に記載のセンサ。
【請求項６】
前記第１の電極が、セラミック相および金属相を備える、請求項１に記載のセンサ。
【請求項７】
前記第１の電極の前記セラミック相が、ジルコニア系電解質材料、セリア系電解質材料、酸化ビスマス系電解質材料、酸化ランタンガリウム系電解質材料、酸化アルミニウムまたは酸化マグネシウム、またはその混合物を含み、前記金属相が、Ａｇ、Ｐｔ、Ｐｄ、Ｒｈ、ＲｕおよびＩｒ、あるいはそれらの合金または混合物を含む、請求項６に記載のセンサ。
【請求項８】
前記第２の電極が、
−Ａｇ、Ａｕ、Ｐｔ、Ｐｄ、Ｒｈ、Ｒｕ、Ｉｒおよび前述の合金または混合物からなる群から選択される金属；
−導電性ペロブスカイト；および
−金属とセラミックのサーメット
からなる群から選択される、請求項１〜７のいずれか一項に記載のセンサ。
【請求項９】
前記第２の電極が、（ａ）白金または金；および（ｂ）ガドリニウムをドープしたセリア（「ＧＤＣ」）、サマリウムをドープしたセリア（「ＳＤＣ」）、ジルコニウムをドープしたセリア（「ＺＤＣ」）、イットリウム安定化ジルコニア（「ＹＳＺ」）、またはスカンジウム安定化ジルコニア（「ＳｃＳＺ」）：のサーメットを含む、請求項８に記載のセンサ。
【請求項１０】
前記第１および第２の電極の少なくとも一方の上の集電層をさらに含み、前記集電層が、
−白金、パラジウム、金、銀、または前述の貴金属の２以上の合金からなる群から選択される貴金属；
−白金、パラジウム、金または銀と、１以上の、１以上の貴金属および１以上の卑金属の合金；あるいは、
−白金、パラジウム、金または銀とセラミック電解質材料のサーメット
を含む、請求項１〜９のいずれか一項に記載のセンサ。
【請求項１１】
前記集電層の各々が、（ａ）白金または金；および（ｂ）ＧＤＣ、ＳＤＣ、ＺＤＣ、ＹＳＺまたはＳｃＳＺ：のサーメットを含む、請求項１０に記載のセンサ。
【請求項１２】
前記それぞれの第１および第２の表面電極、電解質層およびＳＡＬを支持する基板をさらに含み、前記基板が、絶縁セラミック、絶縁材料で被覆した金属、および絶縁材料で被覆したサーメットからなる群から選択され、前記ＳＡＬが、前記電解質層と前記基板との間に位置する、請求項１〜１１のいずれか一項に記載のセンサ。
【請求項１３】
前記ＳＡＬが、前記電解質層と前記基板との間に完全に封入されている、請求項１２に記載のセンサ。
【請求項１４】
前記それぞれの第１および第２の表面電極、電解質層およびＳＡＬを支持する基板をさらに含み、前記基板が、絶縁セラミック、絶縁材料で被覆した金属、および絶縁材料で被覆したサーメットからなる群から選択され、前記ＳＡＬが、前記電解質層の中に位置する、請求項１〜１１のいずれか一項に記載のセンサ。
【請求項１５】
前記ＳＡＬが、Ｐｔ、Ｐｄ、Ａｕ、Ａｇ、および前述の金属の２以上の合金；導電性セラミック；および導電性サーメットからなる群から選択される材料を含む、請求項１〜１４のいずれか一項に記載のセンサ。
【請求項１６】
前記ＳＡＬが、白金から本質的になる、請求項１５に記載のセンサ。
【請求項１７】
ガス試料またはガス流中の２以上の標的ガス種の濃度を測定するためのアンペロメトリック電気化学センサシステムであって、前記センサシステムが、請求項１〜１６のいずれか一項に記載の第１の電気化学セルと、第１および第２の表面電極を電解質層の上に含む第２の電気化学セルを含む、センサシステム。
【請求項１８】
前記第２の電気化学セルが、請求項１〜１６のいずれか一項に記載のセンサを含む、請求項１７に記載のセンサシステム。
【請求項１９】
前記第１および第２の電気化学セルが、共通の電解質層、共通の第２の電極および共通のＳＡＬの少なくとも１つを共有する、請求項１７または１８に記載のセンサシステム。
【請求項２０】
ガス試料またはガス流中の１以上の標的ガス種の濃度を検出する方法であって、
（ａ）請求項１〜１９のいずれか一項に記載の前記センサまたはセンサシステムを、前記１または複数の電気化学セルが前記ガス試料またはガス流に曝露されるように配置するステップと；
（ｂ）１または複数のバイアスを前記１または複数の電気化学セルに印加するステップと；
（ｃ）前記セル電極間にもたらされる１または複数の電流を測定するステップと； 
（ｄ）前記測定した１または複数の電流に基づいて、１以上の標的ガス種の濃度を求めるステップと
を含む、方法。
【請求項２１】
前記１以上の標的ガス種が、ＮＯｘおよび／またはＮＨ３である、請求項２０に記載の方法。